(57)【要約】【課題】  温度変化による印刷精度の低下を防ぐ際の消費エネルギーを削減する。【解決手段】  版テーブル５及び印刷対象テーブル６の上面部に、その上側に保持する版３及び印刷対象４の温度を計測する抵抗温度計１２，１４を設ける。印刷対象テーブル６に、印刷対象４の温度を調節するための印刷対象温度調節手段１３を付設する。抵抗温度計１２，１４から入力される版温度及び印刷対象温度の検出信号Ｓ１，Ｓ２を基に、印刷対象温度調節手段１３へ温度制御指令Ｃを与える制御器１５を備える。オフセット印刷を行う際は、制御器１５で、版３の温度Ｔ１を計測して、版３の初期温度からの温度変化に伴う熱膨張と、初期温度の印刷対象４からの熱膨張が同一となる印刷対象４の温度を制御目標温度Ｔ２ｏとして求め、制御目標温度Ｔ２ｏに一致させるための温度制御指令Ｃを印刷対象温度調節手段１３へ与えて、印刷対象テーブル６上の印刷対象４の温度Ｔ２を制御させる。【選択図】図１
2011156668.tif 000002
【特許請求の範囲】
【請求項１】
版テーブル上に保持した版より印刷対象テーブル上に保持した印刷対象にブランケットロールを介してオフセット印刷を行う際に、上記版の温度を計測し、該版の初期温度からの温度変化に伴う熱膨張と、印刷対象の初期温度の印刷対象からの熱膨張が同一となる該印刷対象の温度を制御目標温度として求め、上記印刷対象テーブルに備えた印刷対象温度調節手段により該印刷対象テーブル上に保持した印刷対象の温度を、上記制御目標温度に一致させるよう調節することを特徴とする印刷装置の温度制御方法。
【請求項２】
版テーブル上に保持した版の温度の計測と、印刷対象テーブル上に保持した印刷対象の温度の計測を、該各テーブルの上面部における版や印刷対象の載置個所に設けた抵抗温度計で行うようにする請求項１記載の印刷装置の温度制御方法。
【請求項３】
版テーブル上に保持した版より印刷対象テーブル上に保持した印刷対象にブランケットロールを介してオフセット印刷を行うようにしてあるオフセット印刷装置における上記版テーブル上に保持された版の温度を計測するための版温度計測装置と、上記印刷対象テーブル上に保持した印刷対象の温度を調節するために該印刷対象テーブルに付設した印刷対象温度調節手段と、上記印刷対象テーブル上に保持された印刷対象の温度を計測するための印刷対象温度計測装置を備え、更に、上記版温度計測装置より入力する版温度検出信号を基に上記版の温度を計測する機能と、該温度が計測された版の初期温度からの温度変化に伴う熱膨張と印刷対象の初期温度の印刷対象からの熱膨張が同一となる該印刷対象の温度を制御目標温度として求める機能と、上記印刷対象温度計測装置より入力する印刷対象温度検出信号を基に上記印刷対象テーブル上に保持した印刷対象の温度を計測する機能と、該計測された印刷対象の温度を上記制御目標温度に一致させるための温度制御指令を上記印刷対象温度調節手段へ与える機能を有する制御器を備えてなる構成を有することを特徴とする印刷装置の温度制御装置。
【請求項４】
版温度計測装置を、版テーブルの上面部に設けた抵抗温度計とし、印刷対象温度計測装置を、印刷対象テーブルの上面部に設けた抵抗温度計とするようにした請求項３記載の印刷装置の温度制御装置。
【発明の詳細な説明】
【技術分野】
【０００１】
本発明は、印刷装置にて使用する平板状の印刷対象の温度を制御するために用いる印刷装置の温度制御方法及び装置に関するものである。
【背景技術】
【０００２】
近年、金属蒸着膜のエッチング等による微細加工に代えて、導電性ペーストを印刷インクとして用いた印刷技術、たとえば、凹版オフセット印刷技術を用いて基板上に液晶ディスプレイ等の電子回路を印刷して形成する手法が提案されてきている。
【０００３】
上記液晶ディスプレイ等の電子回路を基板に形成する場合は、電極となる線幅として、たとえば、１０μｍ程度と微細なものが要求されることがある。そのため、上記基板上に電子回路を印刷により形成する場合は、紙等に文字や画像を印刷する通常のオフセット印刷に比して高い印刷精度が要求される。
【０００４】
ところで、版と印刷対象は同じ形状としたほうが、オフセット印刷における版からブランケットロールへのインクの転写（受理）処理と、該ブランケットロールから印刷対象へのインクの再転写（印刷）処理による印刷パターンの再現性が高いため、前述したような基板へ電子回路のような精密な印刷パターンの印刷を行う場合は、平板状の版を用いることが有利に働く。
【０００５】
なお、オフセット印刷装置の一種として、円筒状の金属製シリンダに施したメッキ上に印刷絵柄を刻設した版胴と、円筒状の金属性シリンダにブランケットを巻装し、上記版胴に接して版胴上に付着したインキを転写して平板状の被印刷物に印刷するオフセットロール（ブランケットロール）とを具備してなるグラビアオフセット印刷装置において、上記版胴を構成するシリンダ内における該シリンダの表面近傍に、軸方向に平行な通水孔を複数設けると共に、すべての通水孔がヘッダに設けたＵ字形の通水孔を介して直列に接続されるようにし、該直列に接続された各通水孔に冷却水を流通させて上記版胴のシリンダの表面近傍温度を制御するための水冷構造を設けてなる構成として、版胴に印刷パターンを形成したときの温度と、実際の印刷処理を行うクリーンルームの温度が異なる場合に、上記版胴の温度を、印刷パターンを形成したときの温度に一致するよう温度制御することにより、温度変化に伴う版の膨張や収縮を抑えて、像ずれや歪み、印刷位置精度の悪化を防止して、高精度の印刷を実施可能とする手法が従来提案されている（たとえば、特許文献１参照）。
【先行技術文献】
【特許文献】
【０００６】
【特許文献１】特開２００６−６９０２６号公報
【発明の概要】
【発明が解決しようとする課題】
【０００７】
ところが、オフセット印刷処理時には、版（版胴）とブランケットロール（オフセットロール）との摩擦熱の影響や、ブランケットの変形熱に起因するブランケットロールの温度変化の影響を受けて、版（版胴）の温度が上昇し易い傾向にあるというのが実状であり、そのため、上記特許文献１に示された手法のように、版胴の温度を、印刷パターンを形成したときの温度に一致させる温度制御を行うためには、エネルギーを投入し続ける必要があることから、この版胴の温度制御に大きなエネルギーを要するという問題がある。
【０００８】
そこで、本発明は、オフセット印刷処理を行う際に、温度変化に伴う版の熱膨張の影響により版の印刷パターンの印刷対象に対する再現性の精度が低下する虞を防止でき、且つ上記印刷パターンの再現性の精度の低下を防止する際のエネルギーの消費を抑えることができるようにするための印刷装置の温度制御方法及び装置を提供しようとするものである。
【課題を解決するための手段】
【０００９】
本発明は、上記課題を解決するために、請求項１に対応して、版テーブル上に保持した版より印刷対象テーブル上に保持した印刷対象にブランケットロールを介してオフセット印刷を行う際に、上記版の温度を計測し、該版の初期温度からの温度変化に伴う熱膨張と、印刷対象の初期温度の印刷対象からの熱膨張が同一となる該印刷対象の温度を制御目標温度として求め、上記印刷対象テーブルに備えた印刷対象温度調節手段により該印刷対象テーブル上に保持した印刷対象の温度を、上記制御目標温度に一致させるよう調節する印刷装置の温度制御方法とする。
【００１０】
更に、上記構成において、版テーブル上に保持した版の温度の計測と、印刷対象テーブル上に保持した印刷対象の温度の計測を、該各テーブルの上面部における版や印刷対象の載置個所に設けた抵抗温度計で行うようにする。
【００１１】
又、請求項３に対応して、版テーブル上に保持した版より印刷対象テーブル上に保持した印刷対象にブランケットロールを介してオフセット印刷を行うようにしてあるオフセット印刷装置における上記版テーブル上に保持された版の温度を計測するための版温度計測装置と、上記印刷対象テーブル上に保持した印刷対象の温度を調節するために該印刷対象テーブルに付設した印刷対象温度調節手段と、上記印刷対象テーブル上に保持された印刷対象の温度を計測するための印刷対象温度計測装置を備え、更に、上記版温度計測装置より入力する版温度検出信号を基に上記版の温度を計測する機能と、該温度が計測された版の初期温度からの温度変化に伴う熱膨張と印刷対象の初期温度の印刷対象からの熱膨張が同一となる該印刷対象の温度を制御目標温度として求める機能と、上記印刷対象温度計測装置より入力する印刷対象温度検出信号を基に上記印刷対象テーブル上に保持した印刷対象の温度を計測する機能と、該計測された印刷対象の温度を上記制御目標温度に一致させるための温度制御指令を上記印刷対象温度調節手段へ与える機能を有する制御器を備えてなる構成を有する印刷装置の温度制御装置とする。
【００１２】
更に、上記構成において、版温度計測装置を、版テーブルの上面部に設けた抵抗温度計とし、印刷対象温度計測装置を、印刷対象テーブルの上面部に設けた抵抗温度計とするようにした構成とする。
【発明の効果】
【００１３】
本発明によれば、以下のような優れた効果を発揮する。 
（１）版テーブル上に保持した版より印刷対象テーブル上に保持した印刷対象にブランケットロールを介してオフセット印刷を行う際に、上記版の温度を計測し、該版の初期温度からの温度変化に伴う熱膨張と、印刷対象の初期温度の印刷対象からの熱膨張が同一となる該印刷対象の温度を制御目標温度として求め、上記印刷対象テーブルに備えた印刷対象温度調節手段により該印刷対象テーブル上に保持した印刷対象の温度を、上記制御目標温度に一致させるよう調節する印刷装置の温度制御方法、及び、版テーブル上に保持した版より印刷対象テーブル上に保持した印刷対象にブランケットロールを介してオフセット印刷を行うようにしてあるオフセット印刷装置における上記版テーブル上に保持された版の温度を計測するための版温度計測装置と、上記印刷対象テーブル上に保持した印刷対象の温度を調節するために該印刷対象テーブルに付設した印刷対象温度調節手段と、上記印刷対象テーブル上に保持された印刷対象の温度を計測するための印刷対象温度計測装置を備え、更に、上記版温度計測装置より入力する版温度検出信号を基に上記版の温度を計測する機能と、該温度が計測された版の初期温度からの温度変化に伴う熱膨張と印刷対象の初期温度の印刷対象からの熱膨張が同一となる該印刷対象の温度を制御目標温度として求める機能と、上記印刷対象温度計測装置より入力する印刷対象温度検出信号を基に上記印刷対象テーブル上に保持した印刷対象の温度を計測する機能と、該計測された印刷対象の温度を上記制御目標温度に一致させるための温度制御指令を上記印刷対象温度調節手段へ与える機能を有する制御器を備えてなる構成を有する印刷装置の温度制御装置としてあるので、オフセット印刷処理時に温度変化に伴って版に熱膨張が生じているとしても、印刷処理後に初期温度まで温度低下する印刷対象に印刷されている印刷パターンを、版が初期温度のときの該版の印刷パターンと同じパターン寸法とすることができる。 
（２）したがって、印刷対象に印刷された印刷パターンの再現性の精度を高めることができて、精密な印刷パターンを印刷するのに有利なものとすることができる。
（３）更に、ブランケットロールとの摩擦熱の影響や、ブランケットの変形熱に起因するブランケットロールの温度変化の影響を受けて温度上昇し易い版の温度を、該版に印刷パターンを形成したときの温度に一致させるように温度制御する場合に比して、必要とされるエネルギーを大幅に削減することができる。 
（４）  版温度計測装置を、版テーブルの上面部に設けた抵抗温度計とし、印刷対象温度計測装置を、印刷対象テーブルの上面部に設けた抵抗温度計とした構成とすることにより、版や印刷対象をガラス製の版や印刷対象を用いる場合に有利な構成とすることができる。
【図面の簡単な説明】
【００１４】
【図１】本発明の印刷装置の温度制御方法及び装置の実施の一形態を示す概要図である。
【図２】図１の装置における印刷対象温度調節手段の一例を示す概要図である。
【図３】図２の印刷対象温度調節手段を付設した印刷対象テーブルを拡大して示す切断側面図である。
【図４】本発明の印刷装置の温度制御方法及び装置を適用するオフセット印刷装置の概要を示す側面図である。
【図５】本発明の実施の他の形態を示すもので、（イ）（ロ）はいずれも版テーブルや印刷対象テーブルにおける白金抵抗温度計の別の配置例をそれぞれ示す概略平面図である。
【発明を実施するための形態】
【００１５】
以下、本発明を実施するための形態を図面を参照して説明する。
【００１６】
図１乃至図４は本発明の印刷装置の温度制御方法及び装置の実施の一形態として、図４に示す如きオフセット印刷装置に適用する場合の例を示すもので、以下のようにしてある。
【００１７】
ここで、先ず、図４に示したオフセット印刷装置について概説すると、該オフセット印刷装置は、水平なベース（架台）１の上側に、一軸方向に延びるガイドレール２を設け、該ガイドレール２上に、平板状の版３及び基板等の平板状の印刷対象４をそれぞれ個別に載置して保持できるようにした版テーブル５及び印刷対象テーブル６を移動可能に取り付けると共に、該各テーブル５，６に、図示しないリニアモータ等による個別の走行駆動機構を備えて、独立して走行（往復動）できるようにする。
【００１８】
上記ガイドレール２の長手方向における上記版テーブル５及び印刷対象テーブル６が共に走行可能な途中位置、たとえば、上記ガイドレール２の長手方向中間位置と対応する上記ベース１上の所要個所には、上記ガイドレール２の長手方向と直交する水平方向に延びるブランケットロール８と、該ブランケットロール８を回転駆動するモータ等の回転用駆動機構９と、上記ブランケットロール８を昇降させるジャッキ等の昇降用駆動機構１０を備えてなる転写機構部７を設ける。
【００１９】
更に、上記ガイドレール２の長手方向における上記版テーブル５が走行可能な別の途中位置、たとえば、上記ベース１上における転写機構部７の設置個所よりガイドレール２の長手方向一端側（図上、左側）へ所要寸法寄った位置に、上記版テーブル５上に保持させた版３に対してインキングを行うためのインキング装置１１を設けた構成としてある。
【００２０】
以上の構成により、上記インキング装置１１にて予めインキングした版３を保持する版テーブル５と、印刷対象４を保持する印刷対象テーブル６を、ガイドレール２に沿って上記転写機構部７のブランケットロール８の直下位置を通過するように同方向より順次走行させ、この際、該転写機構部７にて、上記ブランケットロール８を、上記ガイドレール２上を走行する版テーブル５上に保持させた版３に上方より接触させ、次いで、該ブランケットロール８を、上記ガイドレール２上を走行する印刷対象テーブル６上に保持させた印刷対象４に上方より接触させることで、上記版３からブランケットロール８へのインクの転写（受理）処理と、該ブランケットロール８から印刷対象４へのインクの再転写（印刷）処理を順次行わせて、オフセット印刷処理を実施することができるようにしてある。
【００２１】
上記構成としてあるオフセット印刷装置に本発明の印刷装置の温度制御方法及び装置を適用する場合は、図１に示すように、版テーブル５上に載置して保持された版３の温度を計測するための版温度計測装置１２を備え、且つ印刷対象テーブル６に、該印刷対象テーブル６上に載置して保持する印刷対象４の温度を調節するための印刷対象温度調節手段１３を付設すると共に、上記印刷対象テーブル６上に保持された印刷対象４の温度を計測するための印刷対象温度計測装置１４を備え、更に、上記版温度計測装置１２より入力される版温度の検出信号Ｓ１及び上記印刷対象温度計測装置１４より入力される印刷対象温度の計測信号Ｓ２を基に、上記印刷対象温度調節手段１３へ制御指令Ｃを与えるための制御器１５を備えてなる構成とする。
【００２２】
詳述すると、上記版温度計測装置１２は、たとえば、上記版テーブル５の上面部における版３の載置個所に、版３の中央部と、４つのコーナ部と、４つの辺の中間部にそれぞれ対応する９個所に、薄膜タイプの白金抵抗温度計等の抵抗温度計１２（便宜上、上記版温度計測装置１２と同じ符号が付してある）を設けた構成としてある。
【００２３】
又、上記印刷対象温度計測装置１４は、たとえば、上記印刷対象テーブル６の上面部における印刷対象４の載置個所に、印刷対象４の中央部と、４つのコーナ部と、４つの辺の中間部にそれぞれ対応する９個所に、上記と同様の薄膜タイプの白金抵抗温度計等の抵抗温度計１４（便宜上、上記印刷対象温度計測装置１４と同じ符号が付してある）を設けた構成としてある。
【００２４】
上記印刷対象温度調節手段１３は、たとえば、図２及び図３に示すように、上記印刷対象テーブル６の上部の内部に、温度調節対象となる印刷対象４の平面形状とほぼ対応する領域に配置した熱媒体流路１６を設けると共に、該熱媒体流路１６の入口１７と出口１８に、チラー等の熱媒体温度調節装置１９を、熱媒体供給ライン２０と熱媒体戻しライン２１を介しそれぞれ接続した構成とする。これにより、上記熱媒体温度調節装置１９より上記熱媒体供給ライン２０を通して供給される所要温度の熱媒体、たとえば、所要温度の水２２を、上記印刷対象テーブル６に設けた熱媒体流路１６に入口１７側より出口１８側へ流通させることで、該熱媒体流路１６を流通する所要温度の水２２による印刷対象テーブル６の上部の温度調節を介して、該印刷対象テーブル６の上に保持した印刷対象４の温度を調節することができるようにしてある。
【００２５】
なお、上記印刷対象テーブル６が、テーブル上面に載置する印刷対象４を保持するための機構として、その上端部の内部に、図２に示す如きテーブル上面に開口する多数の真空引き用の細孔２４と、該各細孔２４の下端側を１つの図示しない引き口に連通させるための真空引き流路２５とを具備して、上記図示しない引き口に接続したポンプ又はエジェクタ等の真空引き装置（図示せず）により上記真空引き流路２５を介して真空引き用の各細孔２４の内部を真空引きすることにより、減圧される各細孔２４の内部圧力と外部圧力との圧力差に基づいてテーブル上面に載置した印刷対象４を吸着して保持する形式の真空吸着機構２３を備えている場合は、上記印刷対象温度調節手段１３の熱媒体流路１６を、上記真空吸着機構２３の各細孔２４や真空引き流路２５と干渉しない位置、たとえば、該真空吸着機構２３の各細孔２４や真空引き流路２５よりも下方となる位置に設けるようにすればよい。２６及び２７は上記真空引き流路２５の外周側、及び、熱媒体流路１６の外周側をそれぞれ密閉させるためのＯリングである。
【００２６】
上記制御器１５は、上記版３と印刷対象４の初期温度Ｔ０と、版３の熱膨張係数α１と、印刷対象４の熱膨張係数α２に関するデータについて、手操作入力により蓄積できる機能を備えてなるものとする。
【００２７】
又、上記制御器１５は、版テーブル５に設けた各抵抗温度計１２より該版テーブル５上に保持した版３の中央部と、４つのコーナ部と、４つの辺の中間部の計９個所についての版温度の検出信号Ｓ１が入力されると、各入力値を平均化して版３の温度Ｔ１をリアルタイムに求める機能を備え、更に、印刷対象テーブル６に設けた各抵抗温度計１４より該印刷対象テーブル６上に保持した印刷対象４の中央部と、４つのコーナ部と、４つの辺の中間部の計９個所についての印刷対象温度の検出信号Ｓ２がそれぞれ入力されると、各入力値を平均化して印刷対象４の温度Ｔ２をリアルタイムに求める機能を備えるようにしてある。
【００２８】
ところで、版３が初期温度Ｔ０から或る温度Ｔ１へ温度変化した場合の熱膨張（温度変化により生じた伸び率）をΔＬ１とすると、ΔＬ１＝α１・（Ｔ０−Ｔ１）となる。
【００２９】
一方、印刷対象４が初期温度Ｔ０から或る温度Ｔ２へ温度変化した場合の熱膨張（温度変化により生じた伸び率）をΔＬ２とすると、ΔＬ２＝α２・（Ｔ０−Ｔ２）となる。
【００３０】
したがって、オフセット印刷処理時に、版３とブランケットロール８との摩擦熱の影響や、図示しないブランケットの変形熱に起因するブランケットロール８の温度変化の影響を受けて、版３が初期温度Ｔ０から温度上昇し、この温度変化に起因して上記版３に熱膨張ΔＬ１が生じたとしても、該版３の熱膨張ΔＬ１と、印刷対象４の熱膨張ΔＬ２が同一となる状態でオフセット印刷処理を実施すれば、上記印刷対象４が初期温度Ｔ０に戻ったときに、該印刷対象４に印刷された印刷パターンを、初期温度Ｔ０の版３の印刷パターンと同じパターン寸法とすることができる。
【００３１】
ここで、上記ΔＬ１＝ΔＬ２となる条件を満たすことができるようにするための印刷対象４の制御目標温度をＴ２ｏとおくと、
α１・（Ｔ０−Ｔ１）＝α２・（Ｔ０−Ｔ２ｏ）      ・・・（１）
となり、この（１）式を、上記印刷対象４の制御目標温度Ｔ２ｏについて解くと、
Ｔ２ｏ＝Ｔ０−α１／α２・（Ｔ０−Ｔ１）          ・・・（２）
となる。
【００３２】
以上の点に鑑みて、上記制御器１５では、オフセット印刷処理時に版３とブランケットロール８との摩擦熱の影響や、図示しないブランケットの変形熱に起因するブランケットロール８の温度変化の影響を受けて初期温度Ｔ０から温度上昇する版３の実際の温度Ｔ１が、上記したように版テーブル５に設けた各抵抗温度計１２より入力される版温度の検出信号Ｓ１を基に求まると、該求められた版３の温度Ｔ１、及び、該制御器１５に予め蓄積してある版３と印刷対象４の初期温度Ｔ０と、版３の熱膨張係数α１と、印刷対象４の熱膨張係数α２に関するデータをそれぞれ上記（２）式に代入して、上記温度Ｔ１のときの版３の熱膨張ΔＬ１と、上記印刷対象４の熱膨張ΔＬ２が同一となる条件を満たすための印刷対象４の制御目標温度Ｔ２ｏを求める演算を行い、更に、該求められた印刷対象４の制御目標温度Ｔ２ｏに、上記印刷対象テーブル６に設けた各抵抗温度計１４より入力される印刷対象温度の検出信号Ｓ２を基に求まる印刷対象４の実際の温度Ｔ２を一致させるための温度制御指令Ｃを、上記印刷対象テーブル６に付設してある印刷対象温度調節手段１３、より具体的には、上記印刷対象テーブル６の熱媒体流路１６へ流通させる熱媒体としての水２２の温度を調節する熱媒体温度調節装置１９へ与える機能を備えるようにしてある。
【００３３】
上記制御器１５で温度制御指令Ｃを導出する際に用いる制御則としては、印刷対象４の実際の温度Ｔ２を制御目標温度Ｔ２ｏに一致させるようにする制御を行うことができるようにしてあれば、フィードバック制御やその他、任意の制御則を採用してもよい。
【００３４】
たとえば、上記制御則としてＰＩＤ制御を用いる場合であれば、上記印刷対象４の制御目標温度Ｔ２ｏと実際の温度Ｔ２との差分（Ｔ２ｏ−Ｔ２）がゼロになるように制御するようにすればよい。
【００３５】
又、上記オフセット印刷装置で或る一定の印刷処理を実施する際には、版３の温度Ｔ１は処理時間の経過と共に或る一定の変動パターンを辿って変化すると考えられる。そこで、或る一定の印刷処理を繰り返して実施するような場合は、１回目の印刷処理を行うときに、版３の温度Ｔ１の変動に応じて上記（２）式によって導かれる印刷対象４の制御目標温度Ｔ２ｏの変動を、処理時間と相関させた基本パターンとして制御器１５に記憶しておき、上記或る一定の印刷処理を再び実施するときには、制御器１５にて、印刷対象テーブル６の各抵抗温度計１４より入力される印刷対象温度の検出信号Ｓ２を基に求められる印刷対象４の実際の温度Ｔ２と、上記記憶してある基本パターンの対応する時点での印刷対象４の制御目標温度Ｔ２ｏとのずれをなくすような制御を行うようにしてもよい。このようにすれば、上記或る一定の印刷処理を２回目以降実施する際には、上記版３の温度計測を省略することが可能になる。
【００３６】
なお、上記制御器１５における版３の温度Ｔ１の変動は、連続印刷時の事象であるため、印刷対象４の温度Ｔ２の制御は、秒単位のような短い間隔で行ってもよいが、好ましくは分単位で行うようにすればよい。このようにすれば、印刷対象４の温度Ｔ２を、上記版３の温度Ｔ１を基に算出される制御目標温度Ｔ２ｏに、大きくずれることなく追従させる制御が可能になる。
【００３７】
以上の構成としてある本発明の印刷装置の温度制御装置を装備したオフセット印刷装置でオフセット印刷処理を実施すると、版３とブランケットロール８との摩擦熱の影響や、ブランケットロール８の外周部に設けてある図示しないブランケットの変形熱に起因する該ブランケットロール８の温度変化の影響を受けて、版３が初期温度Ｔ０から温度上昇するようになる。
【００３８】
この際、制御器１５では、版テーブル５に設けてある各抵抗温度計１２より入力される版温度の検出信号Ｓ１から版３の実際の温度Ｔ１が求められた後、この求められた版３の温度Ｔ１、及び、該制御器１５に予め蓄積してある版３と印刷対象４の初期温度Ｔ０と、版３の熱膨張係数α１と、印刷対象４の熱膨張係数α２に関するデータを基に、前述の（２）式により印刷対象４の制御目標温度Ｔ２ｏが求められ、その後、印刷対象テーブル６に設けてある各抵抗温度計１４より入力される印刷対象温度の検出信号Ｓ２から求まる印刷対象４の実際の温度Ｔ２を、上記のようにして求められた印刷対象４の制御目標温度Ｔ２ｏに一致させるための温度制御指令Ｃが、印刷対象温度調節手段１３の熱媒体温度調節装置１９へ向けて発せられる。
【００３９】
これにより、上記印刷対象温度調節手段１３では、熱媒体温度調節装置１９にて所要温度に調節された熱媒体としての水２２が、上記印刷対象テーブル６に設けてある熱媒体流路１６へ供給されて流通するようになるため、該印刷対象テーブル６の上に保持された印刷対象４の温度Ｔ２が、上記制御目標温度Ｔ２ｏに一致するように調節される。
【００４０】
よって、この状態で、上記初期温度Ｔ０からＴ１に温度上昇した版テーブル５上の版３より、上記印刷対象テーブル６上にて制御対象温度Ｔ２ｏと一致するように温度Ｔ２が調整された状態の印刷対象４へ、ブランケットロール８を介した転写（受理）処理と再転写（印刷）処理からなるオフセット印刷処理を実施させると、上記温度Ｔ１で熱膨張ΔＬ１している版３の印刷パターンが、上記制御対象温度Ｔ２ｏと一致する温度Ｔ２で熱膨張ΔＬ２している印刷対象４に印刷される。
【００４１】
よって、その後、上記印刷対象４が印刷対象テーブル６より取り外された後に初期温度Ｔ０まで温度低下して上記熱膨張ΔＬ２が解消されると、該初期温度Ｔ０の印刷対象４に印刷されている印刷パターンが、版３が初期温度Ｔ０のときの該版３の印刷パターンと同じパターン寸法となる。したがって、オフセット印刷処理時に温度変化に伴って版３に熱膨張が生じているとしても、印刷対象４に印刷された印刷パターンの再現性の精度を高めることができるようになることから、精密な印刷パターンを印刷するのに有利なものとすることができる。
【００４２】
このように、本発明の温度制御方法及び装置によれば、オフセット印刷処理時に、版３とブランケットロール８との摩擦熱の影響や、図示しないブランケットの変形熱に起因するブランケットロール８の温度変化の影響を受けて初期温度Ｔ０から温度上昇する版３については、温度制御を行わないようにしてあるが、上記版３やブランケットロール８の温度上昇は、オフセット印刷装置の構造体への伝熱や熱放出により自ずから上限があり、又、ロングスパンでは、印刷対象４側にもその熱が伝わってくるため、結果として上記印刷対象４を対象とする温度制御に必要なエネルギーは、上記版３の温度変化への追従と安定時の温度差分だけになる。
【００４３】
よって、装置構成によって値や比率は異なるが、オフセット印刷処理時に、版３とブランケットロール８との摩擦熱の影響や、図示しないブランケットの変形熱に起因するブランケットロール８の温度変化の影響を受けて温度上昇しようとする版３について、その温度を、従来の特許文献１に示された手法と同様に、該版３に印刷パターンを形成したときの温度に一致させるようにエネルギーを投入し続ける温度制御を行う場合に比して、必要とされるエネルギー（消費されるエネルギー）を大幅に削減することができる。
【００４４】
なお、本発明は上記実施の形態のみに限定されるものではなく、上記版テーブル５及び印刷対象テーブル６に、版温度計測装置と印刷対象温度計測装置となる抵抗温度計１２，１４を、それぞれ版３や印刷対象４の中央部と、４つのコーナ部と、４つの辺の中間部にそれぞれ対応する９個所に設けたものを示したが、図５（イ）に示すように、版３や印刷対象４の中央部と、４つのコーナ部を代表する１つのコーナ部と、４つの辺の中間部を代表する１つの辺の中間部に対応する３個所、あるいは、図５（ロ）に示すように、版３や印刷対象４の中央部と、版３や印刷対象４の外周部を代表する外周部の１個所の計２個所に、抵抗温度計１２，１４を設置するようにしてもよい。このようにすれば、部材点数を削減することができる。
【００４５】
又、版３や印刷対象４の形状やサイズに応じて、上記版温度計測装置と印刷対象温度計測装置となる抵抗温度計１２，１４の数を増減したり、配置を変更してもよい。
【００４６】
版温度計測装置と印刷対象温度計測装置は、版３や印刷対象４がガラス製である場合は、該ガラスの透過性や表面反射、及び、版３や印刷対象４の表面の輻射係数の影響を受け難い上記抵抗温度計１２，１４のような直接接触形式の温度計測装置を用いることが望ましいが、上記版３や印刷対象４の透過性や表面反射が少なく、又、版３や印刷対象４の表面の輻射係数が容易に変化しない場合は、赤外放射温度計を用いるようにしてもよい。更には、版テーブル５上に保持した版３の温度と、印刷対象テーブル６上に保持した印刷対象４の温度を精度よく計測できれば、上記した抵抗温度計１２，１４や赤外放射温度計以外のいかなる形式の温度計測装置を採用してよい。
【００４７】
印刷対象テーブル６に付設する印刷対象温度調節手段１３は、印刷対象テーブル６上に保持した印刷対象４の温度を、制御器１５より与えられる温度制御指令Ｃに対応する温度に調節することができるようにしてあれば、印刷対象テーブル６に設けた熱媒体流路１６に、熱媒体温度調節装置１９より水２２以外の熱媒体を流通させるようにしてもよい。更には、ヒートパイプやヒーターやペルチェ素子等、図示した以外のいかなる形式の印刷対象温度調節手段１３を採用してもよい。
【００４８】
印刷対象テーブル６は、上面に載置した印刷対象４を保持できると共に、該印刷対象４の温度を印刷対象温度調節手段１３で調節できるようにしてあれば、真空吸着式以外のいかなる形式の保持手段で印刷対象４を保持するようにしてあってもよい。
【００４９】
本発明の印刷装置の温度制御方法及び装置は、平板状の版３と平板状の印刷対象４を保持するテーブルを備えた形式のオフセット印刷装置であれば、図示した以外のいかなる形式のオフセット印刷装置に適用してもよい。
【００５０】
その他本発明の要旨を逸脱しない範囲内で種々変更を加え得ることは勿論である。
【符号の説明】
【００５１】
３  版
４  印刷対象
５  版テーブル
６  印刷対象テーブル
８  ブランケットロール
１２  抵抗温度計（版温度計測装置）
１３  印刷対象温度調節手段
１４  抵抗温度計（印刷対象温度計測装置）
１５  制御器
Ｔ１  版の温度
Ｔ２  印刷対象の温度
Ｔ２ｏ  制御目標温度
Ｃ  温度制御指令
【図１】
2011156668.tif 000003
【図２】
2011156668.tif 000004
【図３】
2011156668.tif 000005
【図４】
2011156668.tif 000006
【図５】
2011156668.tif 000007